【手続補正書】
【提出日】令和1年10月24日(2019.10.24)
【手続補正１】
【補正対象書類名】特許請求の範囲
【補正対象項目名】全文
【補正方法】変更
【補正の内容】
【特許請求の範囲】
【請求項１】
空調装置に適用される冷凍サイクル装置であって、
冷媒を圧縮して吐出する圧縮機（１１）と、
前記圧縮機から吐出された冷媒を熱源として空調対象空間へ送風される送風空気を加熱する第１加熱部（１２、２２）と、
前記第１加熱部から流出した冷媒の気液を分離してサイクルの余剰冷媒を貯えるとともに、分離された液相冷媒を流出させる気液分離部（１３）と、
前記気液分離部から流出した冷媒を熱源として前記送風空気を加熱する第２加熱部（１４）と、を備え、
前記第１加熱部は、前記圧縮機から吐出された冷媒と高温側熱媒体とを熱交換させる高温側水−冷媒熱交換器（１２）、および前記高温側熱媒体と前記送風空気とを熱交換させる高温側ヒータコア（２２）を有し、
前記第２加熱部は、前記気液分離部から流出した冷媒と前記送風空気とを熱交換させる過冷却側室内凝縮器（１４）を有し、
前記第２加熱部は、前記送風空気を加熱して前記第１加熱部側へ流出させるように配置されており、
前記送風空気を加熱する暖房モードでは、前記第１加熱部および前記第２加熱部の双方で前記送風空気を加熱する冷凍サイクル装置。
【請求項２】
さらに、前記第２加熱部にて送風空気へ放熱される熱量を調整する放熱量調整部（５４ａ、４１）と、
前記放熱量調整部の作動を制御する放熱量制御部（６０ｆ）と、を備え、
前記放熱量調整部は、前記過冷却側室内凝縮器（１４）へ流入する前記送風空気の風量を調整するエアミックスドア（５４ａ）である請求項１に記載の冷凍サイクル装置。
【請求項３】
前記送風空気を冷却する冷房モードでは、前記放熱量制御部は、前記暖房モードよりも前記過冷却側室内凝縮器（１４）へ流入する前記送風空気の風量を減少させる請求項２に記載の冷凍サイクル装置。
【請求項４】
空調装置に適用される冷凍サイクル装置であって、
冷媒を圧縮して吐出する圧縮機（１１）と、
前記圧縮機から吐出された冷媒を熱源として空調対象空間へ送風される送風空気を加熱する第１加熱部（１２、２２）と、
前記第１加熱部から流出した冷媒の気液を分離してサイクルの余剰冷媒を貯えるとともに、分離された液相冷媒を流出させる気液分離部（１３）と、
前記気液分離部から流出した冷媒を熱源として前記送風空気を加熱する第２加熱部（１４ａ、４２）と、を備え、
前記第１加熱部は、前記圧縮機から吐出された冷媒と高温側熱媒体とを熱交換させる高温側水−冷媒熱交換器（１２）、および前記高温側熱媒体と前記送風空気とを熱交換させる高温側ヒータコア（２２）を有し、
前記第２加熱部は、前記気液分離部から流出した冷媒と過冷却側熱媒体とを熱交換させる過冷却側水−冷媒熱交換器（１４ａ）、および前記過冷却側熱媒体と前記送風空気とを熱交換させる過冷却側ヒータコア（４２）を有し、
前記第２加熱部は、前記送風空気を加熱して前記第１加熱部側へ流出させるように配置されており、
前記送風空気を加熱する暖房モードでは、前記第１加熱部および前記第２加熱部の双方で前記送風空気を加熱する冷凍サイクル装置。
【請求項５】
前記高温側熱媒体を循環させる高温側熱媒体回路（２０）には、前記高温側熱媒体と外気とを熱交換させる高温側ラジエータ（２３）が配置されており、
前記暖房モードでは、前記高温側ヒータコアにて前記高温側熱媒体の有する熱を前記送風空気へ放熱させ、
前記送風空気を冷却する冷房モードでは、前記高温側ラジエータにて前記高温側熱媒体の有する熱を外気へ放熱させる請求項１ないし４のいずれか１つに記載の冷凍サイクル装置。
【請求項６】
空調装置に適用される冷凍サイクル装置であって、
冷媒を圧縮して吐出する圧縮機（１１）と、
前記圧縮機から吐出された冷媒を熱源として空調対象空間へ送風される送風空気を加熱する第１加熱部（１２ａ）と、
前記第１加熱部から流出した冷媒の気液を分離してサイクルの余剰冷媒を貯えるとともに、分離された液相冷媒を流出させる気液分離部（１３）と、
前記気液分離部から流出した冷媒を熱源として前記送風空気を加熱する第２加熱部（１４ａ、４２）と、を備え、
前記第１加熱部は、前記圧縮機から吐出された冷媒と前記送風空気とを熱交換させる室内凝縮器（１２ａ）を有し、
前記第２加熱部は、前記気液分離部から流出した冷媒と過冷却側熱媒体とを熱交換させる過冷却側水−冷媒熱交換器（１４ａ）、および前記過冷却側熱媒体と前記送風空気とを熱交換させる過冷却側ヒータコア（４２）を有し、
前記第２加熱部は、前記送風空気を加熱して前記第１加熱部側へ流出させるように配置されており、
前記送風空気を加熱する暖房モードでは、前記第１加熱部および前記第２加熱部の双方で前記送風空気を加熱する冷凍サイクル装置。
【請求項７】
さらに、前記圧縮機から吐出された冷媒と高温側熱媒体とを熱交換させる高温側水−冷媒熱交換器（１２）、および前記高温側熱媒体と外気とを熱交換させる高温側ラジエータ（２３）を有する高温側熱媒体回路（２０）を備え、
前記暖房モードでは、前記室内凝縮器にて前記圧縮機から吐出された冷媒の有する熱を前記送風空気へ放熱させ、
前記送風空気を冷却する冷房モードでは、前記高温側ラジエータにて前記高温側熱媒体の有する熱を外気に放熱させる請求項６に記載の冷凍サイクル装置。
【請求項８】
さらに、前記第２加熱部にて送風空気へ放熱される熱量を調整する放熱量調整部（５４ａ、４１）と、
前記放熱量調整部の作動を制御する放熱量制御部（６０ｇ）と、を備え、
前記放熱量制御部は、前記過冷却側ヒータコアへ前記過冷却側熱媒体を圧送する過冷却側熱媒体ポンプ（４１）である請求項４、６、７のいずれか１つに記載の冷凍サイクル装置。
【請求項９】
前記送風空気を冷却する冷房モードでは、前記放熱量制御部は、前記暖房モードよりも前記第２加熱部へ流入させる前記過冷却側熱媒体の流量を減少させる請求項８に記載の冷凍サイクル装置。
【請求項１０】
さらに、前記第２加熱部から流出した冷媒を減圧させる減圧部（１６ａ、１６ｂ）と、
前記減圧部（１６ａ）にて減圧された冷媒を前記送風空気と熱交換させて蒸発させる冷却用蒸発部（１７）と、を備え、
前記第２加熱部は、前記冷却用蒸発部にて冷却された前記送風空気を加熱して前記第１加熱部側へ流出させるように配置されており、
前記冷却用蒸発部にて冷却して除湿された前記送風空気を再加熱する除湿暖房モードでは、少なくとも前記第２加熱部にて前記送風空気を加熱する請求項２、３、８、９のいずれか１つに記載の冷凍サイクル装置。
【請求項１１】
さらに、前記減圧部（１６ｂ）にて減圧された冷媒を低温側熱媒体と熱交換させて蒸発させる吸熱用蒸発部（１８）を備え、
前記低温側熱媒体を循環させる低温側熱媒体回路（３０）には、作動時に発熱を伴う発熱機器（３２）および前記低温側熱媒体と外気とを熱交換させる低温側ラジエータ（３３）の少なくとも一方が配置されており、
前記暖房モードでは、前記減圧部にて減圧された前記冷媒を前記吸熱用蒸発部へ流入させる冷媒回路に切り替え、
前記除湿暖房モードでは、前記減圧部にて減圧された前記冷媒を前記冷却用蒸発部へ流入させる冷媒回路に切り替える請求項１０に記載の冷凍サイクル装置。
【請求項１２】
前記高温側熱媒体を循環させる高温側熱媒体回路（２０）には、前記高温側熱媒体と前記送風空気とを熱交換させる高温側ヒータコア（２２）へ流入する前記高温側熱媒体の高温側ヒータコア流量（Ｑａ１）と前記高温側熱媒体と外気とを熱交換させる高温側ラジエータ（２３）へ流入する前記高温側熱媒体のラジエータ側流量（Ｑｂ１）との流量比（Ｑｂ１／Ｑａ１）を調整する高温側流量比調整部（２４）が配置されており、
さらに、前記圧縮機の作動を制御する吐出能力制御部（６０ａ）と、
前記高温側流量比調整部の作動を制御する高温側流量比制御部（６０ｃ）と、を備え、
少なくとも前記除湿暖房モードでは、
前記吐出能力制御部は、前記冷却用蒸発部における冷媒蒸発温度（Ｔｅｆｉｎ）が目標蒸発温度（ＴＥＯ）となるように前記圧縮機の作動を制御し、
前記放熱量制御部は、前記第２加熱部から流出した冷媒の過冷却度（ＳＣ）が目標過冷却度（ＫＳＣ）に近づくように前記放熱量調整部の作動を制御し、
前記高温側流量比制御部は、前記第１加熱部にて加熱された前記送風空気の温度（ＴＡＶ）が目標温度（ＴＡＯ）に近づくように前記高温側流量比調整部の作動を制御する請求項１０または１１に記載の冷凍サイクル装置。
【請求項１３】
さらに、前記圧縮機の作動を制御する吐出能力制御部（６０ａ）と、
前記冷却用蒸発部における冷媒蒸発温度を予め定めた基準温度以上となるよう調整する蒸発圧力調整部（１９）と、を備え、
少なくとも前記除湿暖房モードでは、
前記吐出能力制御部は、前記第１加熱部にて加熱された前記送風空気の温度（ＴＡＶ）が目標温度（ＴＡＯ）に近づくように前記圧縮機の作動を制御し、
前記放熱量制御部は、前記第２加熱部から流出した冷媒の過冷却度（ＳＣ）が予め定めた目標過冷却度（ＫＳＣ）に近づくように前記放熱量調整部の作動を制御する請求項１０または１１に記載の冷凍サイクル装置。
【請求項１４】
空調装置に適用される冷凍サイクル装置であって、
冷媒を圧縮して吐出する圧縮機（１１）と、
前記圧縮機から吐出された冷媒を熱源として空調対象空間へ送風される送風空気を加熱する第１加熱部（１２ａ）と、
前記第１加熱部から流出した冷媒を熱源として前記送風空気を加熱する第２加熱部（１４ａ、４２）と、
前記圧縮機から吐出された冷媒と高温側熱媒体とを熱交換させる高温側水−冷媒熱交換器（１２）、および前記高温側熱媒体と外気とを熱交換させる高温側ラジエータ（２３）を有する高温側熱媒体回路（２０）と、を備え、
前記第１加熱部は、前記圧縮機から吐出された冷媒と前記送風空気とを熱交換させる室内凝縮器（１２ａ）を有し、
前記第２加熱部は、前記室内凝縮器から流出した冷媒と前記高温側熱媒体とを熱交換させる過冷却側水−冷媒熱交換器（１４ａ）、および前記高温側熱媒体と前記送風空気とを熱交換させる過冷却側ヒータコア（４２）を有し、
前記第２加熱部は、前記送風空気を加熱して前記第１加熱部側へ流出させるように配置されており、
前記送風空気を加熱する暖房モードでは、前記室内凝縮器にて前記圧縮機から吐出された冷媒の有する熱を前記送風空気へ放熱させて、前記第１加熱部および前記第２加熱部の双方で前記送風空気を加熱し、
前記送風空気を冷却する冷房モードでは、前記高温側ラジエータにて前記高温側熱媒体の有する熱を外気に放熱させる冷凍サイクル装置。
【手続補正２】
【補正対象書類名】明細書
【補正対象項目名】００１１
【補正方法】変更
【補正の内容】
【００１１】
上記目的を達成するため、請求項１に記載の発明は、空調装置に適用される冷凍サイクル装置であって、
冷媒を圧縮して吐出する圧縮機（１１）と、圧縮機から吐出された冷媒を熱源として空調対象空間へ送風される送風空気を加熱する第１加熱部（１２、２２）と、第１加熱部から流出した冷媒の気液を分離して、分離された液相冷媒を流出させる気液分離部（１３）と、気液分離部から流出した冷媒を熱源として送風空気を加熱する第２加熱部（１４）と、を備え、
第１加熱部は、圧縮機から吐出された冷媒と高温側熱媒体とを熱交換させる高温側水−冷媒熱交換器（１２）、および高温側熱媒体と送風空気とを熱交換させる高温側ヒータコア（２２）を有し、第２加熱部は、気液分離部から流出した冷媒と送風空気とを熱交換させる過冷却側室内凝縮器（１４）を有し、
第２加熱部は、送風空気を加熱して第１加熱部側へ流出させるように配置されており、送風空気を加熱する暖房モードでは、第１加熱部および第２加熱部の双方で送風空気を加熱する冷凍サイクル装置である。
【手続補正３】
【補正対象書類名】明細書
【補正対象項目名】００１２
【補正方法】変更
【補正の内容】
【００１２】
これによれば、暖房モード時には、圧縮機（１１）から吐出された冷媒を第１加熱部（１２、２２）→第２加熱部（１４）の順に流入させて、比較的低温となっている送風空気であっても第２加熱部→第１加熱部の順で段階的に、かつ、効率的に加熱することができる。
【手続補正４】
【補正対象書類名】明細書
【補正対象項目名】００１９
【補正方法】変更
【補正の内容】
【００１９】
また、請求項４に記載の発明は、空調装置に適用される冷凍サイクル装置であって、
冷媒を圧縮して吐出する圧縮機（１１）と、圧縮機から吐出された冷媒を熱源として空調対象空間へ送風される送風空気を加熱する第１加熱部（１２、２２）と、第１加熱部から流出した冷媒の気液を分離して、分離された液相冷媒を流出させる気液分離部（１３）と、気液分離部から流出した冷媒を熱源として送風空気を加熱する第２加熱部（１４ａ、４２）と、を備え、
第１加熱部は、圧縮機から吐出された冷媒と高温側熱媒体とを熱交換させる高温側水−冷媒熱交換器（１２）、および高温側熱媒体と送風空気とを熱交換させる高温側ヒータコア（２２）を有し、第２加熱部は、気液分離部から流出した冷媒と過冷却側熱媒体とを熱交換させる過冷却側水−冷媒熱交換器（１４ａ）、および過冷却側熱媒体と送風空気とを熱交換させる過冷却側ヒータコア（４２）を有し、
第２加熱部は、送風空気を加熱して第１加熱部側へ流出させるように配置されており、送風空気を加熱する暖房モードでは、第１加熱部および第２加熱部の双方で送風空気を加熱する冷凍サイクル装置である。
これによれば、請求項１に記載の発明と同様の効果を得ることができる。
また、請求項６に記載の発明は、空調装置に適用される冷凍サイクル装置であって、
冷媒を圧縮して吐出する圧縮機（１１）と、圧縮機から吐出された冷媒を熱源として空調対象空間へ送風される送風空気を加熱する第１加熱部（１２ａ）と、第１加熱部から流出した冷媒の気液を分離して、分離された液相冷媒を流出させる気液分離部（１３）と、気液分離部から流出した冷媒を熱源として送風空気を加熱する第２加熱部（１４ａ、４２）と、を備え、
第１加熱部は、圧縮機から吐出された冷媒と送風空気とを熱交換させる室内凝縮器（１２ａ）を有し、第２加熱部は、気液分離部から流出した冷媒と過冷却側熱媒体とを熱交換させる過冷却側水−冷媒熱交換器（１４ａ）、および過冷却側熱媒体と送風空気とを熱交換させる過冷却側ヒータコア（４２）を有し、
第２加熱部は、送風空気を加熱して第１加熱部側へ流出させるように配置されており、送風空気を加熱する暖房モードでは、第１加熱部および第２加熱部の双方で送風空気を加熱する冷凍サイクル装置である。
これによれば、請求項１に記載の発明と同様の効果を得ることができる。
また、請求項１４に記載の発明は、空調装置に適用される冷凍サイクル装置であって、
冷媒を圧縮して吐出する圧縮機（１１）と、圧縮機から吐出された冷媒を熱源として空調対象空間へ送風される送風空気を加熱する第１加熱部（１２ａ）と、第１加熱部から流出した冷媒を熱源として送風空気を加熱する第２加熱部（１４ａ、４２）と、圧縮機から吐出された冷媒と高温側熱媒体とを熱交換させる高温側水−冷媒熱交換器（１２）、および高温側熱媒体と外気とを熱交換させる高温側ラジエータ（２３）を有する高温側熱媒体回路（２０）と、を備え、
第１加熱部は、圧縮機から吐出された冷媒と送風空気とを熱交換させる室内凝縮器（１２ａ）を有し、第２加熱部は、室内凝縮器から流出した冷媒と高温側熱媒体とを熱交換させる過冷却側水−冷媒熱交換器（１４ａ）、および高温側熱媒体と送風空気とを熱交換させる過冷却側ヒータコア（４２）を有し、
第２加熱部は、送風空気を加熱して第１加熱部側へ流出させるように配置されており、送風空気を加熱する暖房モードでは、室内凝縮器にて圧縮機から吐出された冷媒の有する熱を送風空気へ放熱させて、第１加熱部および第２加熱部の双方で送風空気を加熱し、
送風空気を冷却する冷房モードでは、高温側ラジエータにて高温側熱媒体の有する熱を外気に放熱させる冷凍サイクル装置である。
これによれば、請求項１に記載の発明と同様の効果を得ることができる。
なお、この欄および特許請求の範囲で記載した各手段の括弧内の符号は、後述する実施形態に記載の具体的手段との対応関係を示す一例である。
【手続補正５】
【補正対象書類名】明細書
【補正対象項目名】０１１２
【補正方法】変更
【補正の内容】
【０１１２】
過冷却側室内凝縮器１４から流出した冷媒は、吸熱用膨張弁１６ｂが全閉状態となっているので、冷房用膨張弁１６ａへ流入して減圧される。この際、冷房用膨張弁１６ａの絞り開度は、過熱度ＳＨが基準過熱度ＫＳＨに近づくように制御される。
【手続補正６】
【補正対象書類名】明細書
【補正対象項目名】０１２７
【補正方法】変更
【補正の内容】
【０１２７】
過冷却側室内凝縮器１４から流出した冷媒は、冷房用膨張弁１６ａが全閉状態となっているので、吸熱用膨張弁１６ｂへ流入して減圧される。この際、吸熱用膨張弁１６ｂの絞り開度は、過熱度ＳＨが基準過熱度ＫＳＨに近づくように制御される。